(57)【要約】    【課題】  ふんわりと包み込んで窮屈な装着感や苦痛感を感じることがなく、ズボンの下に着用しても厚ぼったい違和感をあまり感じないサポーターを提供する。    【解決手段】  足首から、少なくとも脛までの間に着用されるサポーターにおいて、編み糸４０、４１とゴム糸４４及び／又はカバーリングヤーン４５とでもって編成された筒状編成体２０、３０の一部が内側に折り返されて該折り返された端縁が筒状編成体に縫合されることにより外層２１及び内層２２の二重構造に構成され、二重構造の部分が足首に着用され、筒状編成体の残部の一重構造の部分が少なくとも膝に着用されるようになっており、二重構造の外層及び内層はあぜ目１：１〜６：２のパイル編みのシンカー乗せ編みにて編成されることにより二重構造の外層と内層の間が保温空間７０に構成され、一重構造の部分はあぜ目１：１のパイル編みのシンカー乗せ編みにて編成されている。【選択図】  図３
2014223106.tif 000002
【特許請求の範囲】
【請求項１】
足首から、少なくとも脛までの間に着用されるサポーターにおいて、
編み糸（４０、４１）とゴム糸（４４）及び／又はカバーリングヤーン（４５）とでもって編成された筒状編成体（２０、３０）の一部が内側に折り返されて該折り返された端縁が上記筒状編成体（２０）に縫合されることにより外層（２１）及び内層（２２）の二重構造に構成され、該二重構造の部分（２０）が足首に着用され、上記筒状編成体の残部の一重構造の部分（３０）が少なくとも膝に着用されるようになっており、
上記二重構造の外層（２１）及び内層（２２）はあぜ目１：１〜６：２のパイル編みのシンカー乗せ編みにて編成されることにより上記二重構造の外層（２１）と内層（２２）の間に保温空間（７０）に構成され、上記一重構造の部分（３０）はあぜ目１：１のパイル編みのシンカー乗せ編みにて編成されていることを特徴とするサポーター。
【請求項２】
上記二重構造の外層（２１）及び内層（２２）はあぜ目３：１のパイル編みのシンカー乗せ編みにて編成され、上記一重構造の部分（３０）はあぜ目１：１のパイル編みのシンカー乗せ編みにて編成されている請求項１記載の保温サポーター。
【請求項３】
足首から、膝を越える大腿部の部位までの間に着用される長さ、又は足首から、膝下の脛までの間に着用される長さに形成されている請求項１記載のサポーター。
【請求項４】
足首から、少なくとも脛までの間に着用されるサポーターを編成するにあたり、
編み糸（４０、４１）とゴム糸（４４）及び／又はカバーリングヤーン（４５）とを用い、あぜ目１：１〜６：２のパイル編みのシンカー乗せ編みにて第１の筒状編成体（２０）を編成するとともに、あぜ目１：１のパイル編みのシンカー乗せ編みにて第２の筒状編成体（３０）を上記第１の筒状編成体（２０）に連続して編成し、
上記第１の筒状編成体（２０）の半部を内側に折り返し該折り返した部分の端縁を上記第１の筒状編成体（２０）の残部に縫合することにより、外層（２１）と内層（２２）の間に保温空間（７０）が形成されて足首に着用される二重構造に構成するようにしたことを特徴とするサポーターの編成方法。
【発明の詳細な説明】
【技術分野】
【０００１】
この発明はサポーター及びその編成方法に関し、特にふんわりと包み込んで窮屈な装着感や苦痛感を感じることがなく、しかもズボンの下に着用しても厚ぼったい違和感をあまり感じないようにしたサポーター及び編成方法に関する。
【背景技術】
【０００２】
例えば、足首や膝を保護するサポーターは数多く市販されており、冷え症や関節部位に疾患のある者など広範囲にわたり利用されている。
【０００３】
従来、この種のサポーターには各種の編み方で筒状に編成し、これを折り返して二重構造に構成したもの、編成した筒状編成体を二重に重ねたものなどが提案されている（特許文献１、特許文献２、特許文献３、特許文献４、特許文献５）。
【０００４】
しかし、従来の二重構造のサポーターでは、ずれ防止のために全体又は大部分を装着部分に対してきつめとなるように構成すると、使用者は非常に窮屈な感じを抱き、屈伸動作も思うようにいかないことがある一方、逆にフィット感が気にならないくらいの装着感を得るように構成すると、ゆるめとなって使用時の動きに対してサポーターのずれが回避し難いものであった。
【０００５】
これに対し、本願発明者は、編み糸とゴム糸及び／又はカバーリングヤーンとでもって連続した筒状編成体を編成し、筒状編成体の半部を折り返すことにより、外層及び内層の二重構造となし、その外層及び内層をあぜ目１：１〜３：１のパイル編みのシンカー乗せ編みにて編成するようにしたサポーターを提案するに至った（特許文献６）。
【先行技術文献】
【特許文献】
【０００６】
【特許文献１】特開２００６−３４２４６６号公報
【特許文献２】特開２００５−１７１４６０号公報
【特許文献３】実用新案登録第３０６７２６１号公報
【特許文献４】実用新案登録第３０５１３５２号公報
【特許文献５】実用新案登録第３０６８６１４号公報
【特許文献６】特開２００４−３１６０６４号公報
【発明の開示】
【発明が解決しようとする課題】
【０００７】
特許文献６記載のサポーターでは、窮屈な装着感や苦痛感を感じることなく、足にピッタリとフィットしてずれの発生が少ないものの、ズボンの下に着用すると、厚ぼったくなって違和感を感じることがあった。
【０００８】
本発明は、かかる問題点に鑑み、ふんわりと包み込んで窮屈な装着感や苦痛感を感じることがなく、しかもズボンの下に着用しても厚ぼったい違和感をあまり感じないようにしたサポーターを提供することを課題とする。
【課題を解決するための手段】
【０００９】
そこで、本発明に係るサポーターは、足首から、少なくとも脛までの間に着用されるサポーターにおいて、編み糸とゴム糸及び／又はカバーリングヤーンとでもって編成された筒状編成体の一部が内側に折り返されて該折り返された端縁が上記筒状編成体に縫合されることにより外層及び内層の二重構造に構成され、該二重構造の部分が足首に着用され、上記筒状編成体の残部の一重構造の部分が少なくとも膝に着用されるようになっており、上記二重構造の外層及び内層はあぜ目１：１〜６：２のパイル編みのシンカー乗せ編みにて編成されることにより上記二重構造の外層と内層の間が保温空間に構成され、上記一重構造の部分はあぜ目１：１のパイル編みのシンカー乗せ編みにて編成されていることを特徴とする。
【００１０】
パイル編みのシンカー乗せ編みによる編み生地は伸縮弾性が小さく、伸びがパイル編みや平編みに比して２倍〜３倍以上にもなるが、編み生地を二重構造にすると、その大きな伸び特性はほとんど損なわれず、しかも全体として適度な伸縮弾性、従って適度な締め付け力を得ることが可能である。他方、パイル編みのシンカー乗せ編みによる編み生地を一重構造にすると、締め付け力は小さいものの、十分な締め付け力が得られる。
【００１１】
本発明の特徴の１つはサポーターの足首に着用される部分を外層と内層の二重構造とし、しかも内外層をあぜ目１：１〜６：２のパイル編みのシンカー乗せ編みにて編成するようにした点にある。これにより、大きな伸び特性と適度の締め付け力とによって足首をふんわりと包み込むような快い着用感が得られるとともに、外層と内層の間に空気断熱による保温空間が構成され、足首の保温性能を確保できる。
【００１２】
また、本発明の第２の特徴はサポーターの脛、あるいは脛や大腿部に着用される部分をあぜ目１：１のパイル編みのシンカー乗せ編みにて編成するようにした点にある。これにより、パイル編みのシンカー乗せ編みの特徴によって十分な締付け力が得られ、サポーターがずり落ちるのを少なくできるばかりでなく、一重構造であるので、ズボンの下に着用しても、厚ぼったい違和感を感じることが少ない。
【００１３】
また、パイル編みのシンカー乗せ編みによる大きな伸び特性により、小さな力でサポーターの全体が大きく伸びるので、手足の筋力が弱った老人や病人にも容易に履くことができ、又脱ぐ時にも簡単に脱ぐことができる。
【００１４】
サポーターは足首から、少なくとも脛までの間に着用される長さであればよく、例えば足首から、膝下の脛までの間に着用される長さであってもよく、又足首から、膝を越える大腿部の部位までの間に着用される長さでもよい。
【００１５】
具体的には、二重構造の外層及び内層はあぜ目３：１のパイル編みのシンカー乗せ編みにて編成され、一重構造の部分はあぜ目１：１のパイル編みのシンカー乗せ編みにて編成されるのがよい。
【００１６】
また、本発明に係るサポーターの編成方法は、足首から、少なくとも脛までの間に着用されるサポーターを編成するにあたり、編み糸とゴム糸及び／又はカバーリングヤーンとを用い、あぜ目１：１〜６：２のパイル編みのシンカー乗せ編みにて第１の筒状編成体を編成するとともに、あぜ目１：１のパイル編みのシンカー乗せ編みにて第２の筒状編成体を上記第１の筒状編成体に連続して編成し、上記第１の筒状編成体の半部を内側に折り返し該折り返した部分の端縁を上記第１の筒状編成体の残部に縫合することにより、外層と内層の間に保温空間が形成されて足首に着用される二重構造に構成するようにしたことを特徴とする。
【００１７】
二重構造の外層と内層のあぜ目は１：１、２：１、３：１、４：１、５：１、６：１，１：２、２：２、３：２、４：２、５：２、６：２を採用する。あぜ目を１：１〜６：２としたのは、６：２を越えるあぜ目にすると、伸縮弾性が小さくなり過ぎて使用に耐えないおそれがあるからである。
【００１８】
本発明に係るサポーターには保温サポーターの他、レッグウォーマーも含まれる。
【００１９】
本発明では特に編み糸の材質については限定されず、綿糸、綿アクリル混紡糸、毛糸、毛アクリル混紡糸、絹糸、絹アクリル混紡糸等を用いることができるが、外層の編み糸を綿糸、内層の編み糸を絹糸とすると、綿糸による優れた吸湿性と、絹糸による優れた吸湿・吸熱性とにより、夏期には着用していて涼しく、又二重構造をなす外層と内層との間には空気による断熱層が構成され、冬期には着用していて暖かい、という優れた着用感が得られる。
【図面の簡単な説明】
【００２０】
【図１】本発明に係るサポーターの好ましい実施形態を示す概略斜視図である。
【図２】上記実施形態の内面を示す図である。
【図３】上記実施形態の使用例を示す図である。
【図４】上記実施形態においてパイル編みのシンカー乗せ編みを説明するための図である。
【図５】あぜ目３：１のパイル編みのシンカー乗せ編みの編み組織の１例を示す図である。
【図６】あぜ目１：１のパイル編みのシンカー乗せ編みの編み組織の１例を示す図である。
【図７】のパイル編みのシンカー乗せ編みの作用を説明するための図である。
【発明を実施するための最良の形態】
【００２１】
以下、本発明を図面に示す具体例に基づいて詳細に説明する。図１ないし図７は本発明に係るサポーターの好ましい実施形態を示す。図において、サポーター１０は足首に着用される第１の筒状編成体２０は脛に着用される第２の筒状編成体３０とから構成され（図３参照）、第１の筒状編成体２０は外層２１と内層２２の二重構造に、第２の筒状編成体３０は一重構造に構成されている。
【００２２】
第１の筒状編成体２０は表糸として１本ないし２本の５番ないし１５番の綿糸を用い、パイル編みのシンカー乗せ編みにて編成されるとともに、裏糸として１本の９０番ないし１００番のゴム糸を用いて３目飛ばしで編み込まれ、つまりあぜ目が３：１に編成されている。編み組織の１例を図５に示す。
【００２３】
また、第２の筒状編成体３０は表糸として１本ないし２本の５番ないし１５番の綿糸を用い、パイル編みのシンカー乗せ編みにて編成されるとともに、裏糸として１本の９０番ないし１００番のゴム糸４４と、カバーリングヤーン、例えはポリウレタンカバーリングナイロン糸４５を用いて１目飛ばしで編み込まれ、つまりあぜ目が１：１に編成されている。編み組織の１例を図６に示す。
【００２４】
ここで、本例におけるパイル編みのシンカー乗せ編みを説明すると、図４に示されるように、パイル編みにおける裏糸４１を表糸４０と同様にシンカー５０の頭５１に乗せて編む方法であって、この場合には両糸４０、４１とも表糸となり、ゴム糸４４が裏糸の代わりをすることとなる。
【００２５】
他方、パイル編みを説明すると、表糸４０はシンカー５０の頭５１に乗せ、裏糸４１は乗せずに編成する一方、ゴム糸４４はシンカー５０の頭に乗せずにコース方向に適当な目数飛ばしながら編み込んでいる。従って、パイルの高さは図４の（ａ）における高さｔによって決まる。
【００２６】
従って、パイル編みのシンカー乗せ編みではパイル編みのようなパイルはできないが、伸縮弾性が小さく、パイル編みと同じ大きさでありながら、伸びが２倍ないし３倍と大きく、締付けが小さくなる。
【００２７】
本例のサポーター１０を製造する場合、シングルシリンダ又はダブルシリンダの編み機を用い、パイル編みのシンカー乗せ編みにて第１の筒状編成体２０はあぜ目が３：１、第２の筒状編成体３０はあぜ目が１：１となるように、第１の筒状編成体２０及び第２の筒状編成体３０を連続して編成し、第２の筒状編成体３０の端縁にフリル３１を形成する。
【００２８】
こうして筒状編成体２０、３０が編成されると、第１の筒状編成体２０の半部を内側に折り返し、折り返した端縁２３を第１の筒状編成体２０の残部に縫合すると、本例のサポーター１０が得られる。
【００２９】
以上のような本例のサポーター１０ではサポーター１０の足首に着用される第１の筒状編成体２０を外層２１と内層２２の二重構造とし、しかも内外層をあぜ目３：１のパイル編みのシンカー乗せ編みにて編成するようにしたので、パイル編みのシンカー乗せ編みの編み組織の特性に起因して、大きな伸び特性と適度の締め付け力が得られ、足首をふんわりと包み込むような快い着用感が得られるとともに、図７の（ａ）に示されるように、外層２１と内層２２の間に空気断熱による保温空間７０が構成され、足首の皮膚６０と第１の筒状編成体２０の間に空気断熱による保温空間７１が形成されるので、足首の保温性能を確保できる。
【００３０】
また、サポーター１０の脛（及び脛や大腿部）に着用される第２の筒状編成体３０をあぜ目１：１のパイル編みのシンカー乗せ編みにて編成するようにしたので、パイル編みのシンカー乗せ編みの編み組織の特性に起因して、十分な締付け力が得られ、サポーター１０のずり落ちを少なくできるばかりでなく、一重構造であるので、ズボンの下に着用しても、厚ぼったい違和感を感じることが少ない。
【００３１】
また、第１の筒状編成体２０はあぜ目３：１のパイル編みのシンカー乗せ編みとし、外層２１と内層２２の二重構造にしたので、図７の（ａ）に示されるように、外層２１と内層２２の間に空気断熱層による保温空間７０が形成され、足首の皮膚６０と第１の筒状編成体２０の間に空気断熱層となる保温空間７１が形成されるので、冬期における足首の保温性能を確保できる。
【００３２】
また、第２の筒状編成体３０をあげ目１：１のパイル編みのシンカー乗せ編みとしたので、図７の（ａ）に示されるように、脛の皮膚６０と第２の筒状編成体３０の間に空気断熱による保温空間７１が形成され、冬期における脛の冷えを少なくできる。
【００３３】
なお、上記の例ではサポーターを足首から膝下までの間に着用される長さとしたが、足首から、膝上の大腿部に至る部分に着用される長さとすることもできる。また、第２の筒状編成体の端縁にフリル３１を形成したが、フリルは必ずしも設ける必要はない。
【符号の説明】
【００３４】
１０    サポーター
２０    第１の筒状編成体
２１    外層
２２    内層
３０    第２の筒状編成体
４０、４１      編み糸
４４    ゴム糸
７０    保温空間
【図１】
2014223106.tif 000003
【図２】
2014223106.tif 000004
【図３】
2014223106.tif 000005
【図４】
2014223106.tif 000006
【図５】
2014223106.tif 000007
【図６】
2014223106.tif 000008
【図７】
2014223106.tif 000009